【事件の表示】
　特願２００７−５４３４５５「偏光方法を有する立体液晶ディスプレイ（ＬＣＤ）」拒絶査定不服審判事件〔平成１８年　６月　１日国際公開、ＷＯ２００６／０５８０９４、平成２０年　６月１９日国内公表、特表２００８−５２１０６４〕について、次のとおり審決する。
【結　論】
　本件審判の請求は、成り立たない。
【理　由】
１　手続の経緯・本願発明
　本願は、平成１７年１１月２２日（パリ条約による優先権主張２００４年１１月２３日、アメリカ合衆国）を国際出願日とする出願であって、平成２０年１１月２０日付け及び平成２３年３月７日付けで手続補正がなされたところ、同年３月２４日付けで拒絶査定がなされ、これに対し、同年８月４日に拒絶査定不服審判請求がなされたものである。
　
　そして、本願の請求項に係る発明は、平成２３年３月７日付け手続補正による補正後の明細書、特許請求の範囲及び図面の記載からみて、その特許請求の範囲の請求項１〜３２に記載された事項によって特定されるものと認められるところ、請求項１に係る発明は次のとおりである。
　
「互いに角度を成すように配置され、各々が面偏光によって形成された画像を提供するものであり、両者ともに少なくとも１６０°の水平方向及び垂直方向の視野角を有する１対の広視野角の能動的マトリックス液晶ディスプレイと、
　一方の前記ディスプレイからの光を透過させ他方の前記ディスプレイからの光を反射するように前記ディスプレイ間に配置されたビームコンバイナと、
　を備え、
　透過光および反射光が前記ビームコンバイナを介して同一の方向に供給され、
　一方の前記広視野角能動的マトリックス液晶ディスプレイが垂直の偏光を有し、前記広視野角能動的マトリックス液晶ディスプレイの他方が水平の偏光を有する、
　ことを特徴とするディスプレイシステム。」（以下「本願発明」という。）
　
　
２　引用刊行物の記載事項
　原審における拒絶の理由に引用された、本願の優先日前に頒布された刊行物である特開２００３−５１３０号公報（以下「引用刊行物」という。）には、図とともに下記の事項が記載されている。
　
（１）「【特許請求の範囲】
【請求項１】互いに直交する方向に反射軸と透過軸とを有し、前記反射軸に沿った偏光成分の入射光を反射し、前記透過軸に沿った偏光成分の入射光を透過させる反射偏光板と、
左眼用と右眼用の画像のうちの一方の画像を表示するための第１の画像表示手段と、
前記左眼用と右眼用の画像のうちの他方の画像を表示するための第２の画像表示手段と、
画像観察者の左右の眼のうちの一方の眼の前に、透過軸を前記反射偏光板の反射軸と実質的に平行にして配置される第１の接眼偏光板と、
画像観察者の左右の眼のうちの他方の眼の前に、透過軸を前記反射偏光板の透過軸と実質的に平行にして配置される第２の接眼偏光板とを備え、
前記反射偏光板が、その前面を画像観察者による観察方向に対して所定角度斜めに傾けて対向配置され、前記第１の画像表示手段が、その表示手段からの出射光を、前記反射偏光板の前面に、この反射偏光板により反射されて前記観察方向に出射する入射角で入射させるように配置され、前記第２の画像表示手段が、その表示手段からの出射光を、前記反射偏光板の後面に、この反射偏光板を透過して前記観察方向に出射する入射角で入射させるように配置されており、
前記第１の画像表示手段から出射して前記反射偏光板にその前面から入射し、この反射偏光板により反射された光を前記第１の接眼偏光板を透過させて前記画像観察者の一方の眼により観察させ、前記第２の画像表示手段から出射して前記反射偏光板にその後面から入射し、この反射偏光板を透過した光を前記第２の接眼偏光板を透過させて前記画像観察者の他方の眼により観察させることを特徴とする立体画像表示装置。
…」
　
（２）「【００１８】
【発明の実施の形態】…
【００１９】この実施例の立体画像表示装置は、図１に示すように、反射偏光板１０と、左眼用と右眼用の画像のうちの一方の画像、例えば左眼用の画像を表示するための第１の画像表示手段２０と、前記左眼用と右眼用の画像のうちの他方の画像、例えば右眼用の画像を表示するための第２の画像表示手段３０と、画像観察者４０の左眼と右眼の前にそれぞれ配置される第１と第２の接眼偏光板４１，４２とにより構成されている。
【００２０】反射偏光板１０は、互いに直交する方向に反射軸１０ｓと透過軸１０ｐ（図２参照）とを有し、前記反射軸１０ｓに沿った偏光成分の入射光を反射し、前記透過軸１０ｐに沿った偏光成分の入射光を透過させる特性をもっている。
【００２１】この反射偏光板１０は、図１に示したように、その前面を画像観察者４０による観察方向に対して所定角度斜めに傾けて対向配置されている。
【００２２】一方、前記第１と第２の画像表示手段２０，３０はそれぞれ、画像観察者４０の左眼と右眼による観察角度の差に応じたずれをもつ左眼用の画像と右眼用の画像をそれぞれ表示するものであり…。
…
【００２４】これらの表示素子２０，３０は、いずれも、液晶セル２１，３１と、前記液晶セル２１，３１を挟んでその前側と後側とに配置された前側偏光板２２，３２および後側偏光板２３，３３と、前記後側偏光板２３，３３の後側に配置された反射膜２４，３４とからなっている。
【００２５】前記液晶セル２１，３１は、カラー画像を表示する単純マトリックス型またはアクティブマトリックス型のものであり…
【００２６】そして、前記表示素子２０，３０としては、例えばＴＮ（ツイステッドネマティック）型に構成されており、前記液晶セル２１，３１の液晶層の液晶分子は前記一対の基板間において略９０度のツイスト角でツイスト配向しており、前記前側偏光板２２，３２と後側偏光板２３，３３は、それぞれの透過軸を所定の方向に向けて配置されている。
【００２７】前記左眼画像と右眼画像の表示素子２０，３０のうち、一方の表示素子、例えば左眼画像表示素子２０は、その表示素子２０からの出射光を、前記反射偏光板１０の前面に、この反射偏光板１０により反射されて前記観察方向に出射する入射角で入射させるように配置され、他方の表示素子である右眼画像表示素子３０は、その表示素子３０からの出射光を、前記反射偏光板１０の後面に、この反射偏光板１０を透過して前記観察方向に出射する入射角で入射させるように配置されている。
…
【００３０】また、前記第１と第２の接眼偏光板４１，４２は、例えば画像観察者４０が掛ける眼鏡型フレームに取り付けられている。…
【００３１】図２は、前記反射偏光板１０の反射軸と透過軸の向きと、前記左眼画像表示素子２０および右眼画像表示素子３０の液晶セル２１，３１の液晶分子の配向状態と前後の偏光板２２，３２および２３，３３の透過軸の向きと、前記左眼および右眼用接眼偏光板４１，４２の透過軸の向きとを示している。
…
【００３４】そして、前記左眼画像表示素子２０の前側偏光板２２は、その透過軸２２ａを前記反射偏光板１０の反射軸１０ａと実質的に平行にして配置され、後側偏光板２３は、その透過軸２３ａを、図のように前記前側偏光板２２の透過軸２２ａと実質的に直交させて配置されている。
【００３５】また、前記右眼画像表示素子３０の前側偏光板３２は、その透過軸３２ａを前記反射偏光板１０の透過軸１０ｐと実質的に平行にして配置され、後側偏光板３３は、その透過軸３３ａを、図のように前記前側偏光板３２の透過軸３２ａと実質的に直交させて配置されている。
【００３６】さらに、前記左眼用接眼偏光板４１は、その透過軸４１ａを前記反射偏光板１０の反射軸１０ａと実質的に平行にして配置され、右眼用接眼偏光板４２は、その透過軸４２ａを前記反射偏光板１０の透過軸１０ｐと実質的に平行にして配置されている。
…
【００４２】前記左眼画像表示素子２０の前側に出射した左眼用画像光は、前記反射偏光板１０にその前面から入射し、この反射偏光板１０により反射されて観察方向に出射し、透過軸４１ａを前記反射偏光板１０の反射軸１０ｐと平行にして配置された左眼用接眼偏光板４１を透過して画像観察者４０の左眼により観察される。
【００４３】また、前記右眼画像表示素子３０の前側に出射した右眼用画像光は、前記反射偏光板１０にその後面から入射し、この反射偏光板１０を透過して前記観察方向に出射し、透過軸４２ａを前記反射偏光板１０の透過軸１０ｐと平行にして配置された右眼用接眼偏光板４２を透過して画像観察者４０の右眼により観察される。」
　
（３）上記（２）（【００２４】、【００３１】、【００３４】及び【００３５】）に照らして図２をみると、「左眼画像表示装置２０」の「前側偏光板２２」の「透過軸２２ａ」は、矩形状の前記「左眼画像表示装置２０」の画面の短辺に平行であり、また、「右眼画像表示装置３０」の「前側偏光板３２」の「透過軸３２ａ」は、矩形状の前記「右眼画像表示装置３０」の画面の長辺に平行であることがみてとれる。
　
　よって、これらの記載を総合すると、引用刊行物には、次の発明（以下「引用発明」という。）が記載されていると認められる。
　
「互いに直交する方向に反射軸と透過軸とを有し、前記反射軸に沿った偏光成分の入射光を反射し、前記透過軸に沿った偏光成分の入射光を透過させる反射偏光板と、
　左眼用と右眼用の画像のうちの一方の画像を表示するための第１の画像表示手段と、
　前記左眼用と右眼用の画像のうちの他方の画像を表示するための第２の画像表示手段と、
　画像観察者の左右の眼のうちの一方の眼の前に、透過軸を前記反射偏光板の反射軸と実質的に平行にして配置される第１の接眼偏光板と、
　画像観察者の左右の眼のうちの他方の眼の前に、透過軸を前記反射偏光板の透過軸と実質的に平行にして配置される第２の接眼偏光板とを備え、
　前記反射偏光板が、その前面を画像観察者による観察方向に対して所定角度斜めに傾けて対向配置され、前記第１の画像表示手段が、その表示手段からの出射光を、前記反射偏光板の前面に、この反射偏光板により反射されて前記観察方向に出射する入射角で入射させるように配置され、前記第２の画像表示手段が、その表示手段からの出射光を、前記反射偏光板の後面に、この反射偏光板を透過して前記観察方向に出射する入射角で入射させるように配置されており、
　前記第１の画像表示手段から出射して前記反射偏光板にその前面から入射し、この反射偏光板により反射された光を前記第１の接眼偏光板を透過させて前記画像観察者の一方の眼により観察させ、前記第２の画像表示手段から出射して前記反射偏光板にその後面から入射し、この反射偏光板を透過した光を前記第２の接眼偏光板を透過させて前記画像観察者の他方の眼により観察させる立体画像表示装置であって、
　実施例において、左眼画像表示手段２０，右眼画像表示手段３０は、いずれも、液晶セル２１，３１と、前記液晶セル２１，３１を挟んでその前側と後側とに配置された前側偏光板２２，３２および後側偏光板２３，３３と、前記後側偏光板２３，３３の後側に配置された反射膜２４，３４とからなっており、前記液晶セル２１，３１は、カラー画像を表示するアクティブマトリックス型のものであり、
　左眼画像表示手段２０，右眼画像表示手段３０としては、例えばＴＮ（ツイステッドネマティック）型に構成されており、
　左眼画像表示装置２０の前側偏光板２２の透過軸２２ａは、矩形状の前記左眼画像表示装置２０の画面の短辺に平行であり、また、右眼画像表示装置３０の前側偏光板３２の透過軸３２ａは、矩形状の前記右眼画像表示装置３０の画面の長辺に平行である、
　立体画像表示装置。」
　
　
３　対比
　本願発明と引用発明を対比する。
（１）引用発明は、「左眼用と右眼用の画像のうちの一方の画像を表示するための第１の画像表示手段と、前記左眼用と右眼用の画像のうちの他方の画像を表示するための第２の画像表示手段と」を備え、「実施例において、左眼画像表示手段２０，右眼画像表示手段３０は、いずれも、液晶セル２１，３１と、前記液晶セル２１，３１を挟んでその前側と後側とに配置された前側偏光板２２，３２および後側偏光板２３，３３と…からなっており、前記液晶セル２１，３１は、カラー画像を表示するアクティブマトリックス型のものであ」り、前記「左眼画像表示手段２０」と「右眼画像表示手段３０」とは、互いに角度を成すように配置されたものといえるから、引用発明の「（互いに角度を成すように配置され、それぞれ、液晶セル２１，３１の前側に前側偏光板２２，３２が配置された）『左眼画像表示手段２０』及び『右眼画像表示手段３０』」と、本願発明の「互いに角度を成すように配置され、各々が面偏光によって形成された画像を提供するものであり、両者ともに少なくとも１６０°の水平方向及び垂直方向の視野角を有する１対の広視野角の能動的マトリックス液晶ディスプレイ」とは、「互いに角度を成すように配置され、各々が面偏光によって形成された画像を提供するものである、１対の能動的マトリックス液晶ディスプレイ」である点で一致する。
　
（２）引用発明の「反射偏光板」は、「互いに直交する方向に反射軸と透過軸とを有し、前記反射軸に沿った偏光成分の入射光を反射し、前記透過軸に沿った偏光成分の入射光を透過させる」ものであって、「その前面を画像観察者による観察方向に対して所定角度斜めに傾けて対向配置され、前記第１の画像表示手段が、その表示手段からの出射光を、前記反射偏光板の前面に、この反射偏光板により反射されて前記観察方向に出射する入射角で入射させるように配置され、前記第２の画像表示手段が、その表示手段からの出射光を、前記反射偏光板の後面に、この反射偏光板を透過して前記観察方向に出射する入射角で入射させるように配置されて」いるものであるから、本願発明の「（一方の前記ディスプレイからの光を透過させ他方の前記ディスプレイからの光を反射するように前記ディスプレイ間に配置された）ビームコンバイナ」に相当する。
　
（３）引用発明は、「前記第１の画像表示手段から出射して前記反射偏光板にその前面から入射し、この反射偏光板により反射された光を前記第１の接眼偏光板を透過させて前記画像観察者の一方の眼により観察させ、前記第２の画像表示手段から出射して前記反射偏光板にその後面から入射し、この反射偏光板を透過した光を前記第２の接眼偏光板を透過させて前記画像観察者の他方の眼により観察させる」ものであるから、引用発明は、本願発明の「透過光および反射光が前記ビームコンバイナを介して同一の方向に供給され」との事項を備える。
　
（４）引用発明は、「左眼画像表示装置２０の前側偏光板２２の透過軸２２ａは、矩形状の前記左眼画像表示装置２０の画面の短辺に平行であり、また、右眼画像表示装置３０の前側偏光板３２の透過軸３２ａは、矩形状の前記右眼画像表示装置３０の画面の長辺に平行であ」り、「右眼画像表示装置３０」から垂直な偏光、「左眼画像表示装置２０」から水平な偏光が出射するといえるから、引用発明の上記の事項と、本願発明の「一方の前記広視野角能動的マトリックス液晶ディスプレイが垂直の偏光を有し、前記広視野角能動的マトリックス液晶ディスプレイの他方が水平の偏光を有する」との事項とは、「一方の前記能動的マトリックス液晶ディスプレイが垂直の偏光を有し、前記能動的マトリックス液晶ディスプレイの他方が水平の偏光を有する」との点で一致する。
　
（５）引用発明の「立体画像表示装置」は、本願発明の「ディスプレイシステム」に相当する。
　
　よって、本願発明と引用発明とは、
「互いに角度を成すように配置され、各々が面偏光によって形成された画像を提供するものである、１対の能動的マトリックス液晶ディスプレイと、
　一方の前記ディスプレイからの光を透過させ他方の前記ディスプレイからの光を反射するように前記ディスプレイ間に配置されたビームコンバイナと、
　を備え、
　透過光および反射光が前記ビームコンバイナを介して同一の方向に供給され、
　一方の前記能動的マトリックス液晶ディスプレイが垂直の偏光を有し、前記能動的マトリックス液晶ディスプレイの他方が水平の偏光を有する、
　ディスプレイシステム。」
の点で一致し、以下の点で相違するものと認められる。  
 　  
　１対の能動的マトリックス液晶ディスプレイが、本願発明では、両者ともに少なくとも１６０°の水平方向及び垂直方向の視野角を有する広視野角のものであるのに対し、引用発明では、例えばＴＮ（ツイステッドネマティック）型に構成されたものである点（以下「相違点」という。）。
　
　
４　判断
　上記相違点につき検討する。
　引用発明の「左眼画像表示手段２０」、「右眼画像表示手段３０」は、「例えばＴＮ（ツイステッドネマティック）型に構成され」るものであって、必ずしもＴＮ型に限られず、他の型式の液晶表示装置も適宜用い得るものであるところ、ＴＮ方式の液晶表示装置では、視野角が狭く、色再現性に問題があり、より広い視野角特性を有する液晶表示装置としてＩＰＳ（横電界）方式のものが存在することは、本願の優先日時点で周知であり（例えば、特開２００３−１５１４６号公報（【００２１】）、特開２００１−２９０１５２号公報（【０００３】）参照。）、また、そのようなＩＰＳ方式の液晶表示装置として、上下左右の視野角が１６０°以上もあるものは、本願の優先日時点で周知であるから（必要なら、前記特開２００１−２９０１５２号公報（【００４２】）、特開２００１−１４７６５１号公報（【０１１５】〜【０１１８】）、特開２０００−９８４１０号公報（【００１１】〜【００１４】）、特開２００１−１８８２５２号公報（【０１２４】〜【０１２６】）参照。）、引用発明において、「（例えば（視野角の狭い）ＴＮ型に構成されるとされている）左眼画像表示手段２０，右眼画像表示手段３０」として、より広い視野角特性を有する、上下左右の視野角が１６０°以上もあるＩＰＳ（横電界）方式の液晶表示装置を用いて、上記相違点に係る本願発明の構成となすことは、当業者が容易になし得ることである。
　
　また、本願発明の奏する効果が、引用発明及び上記各周知技術から当業者が予測困難な程の格別顕著なものということはできない。
　
　したがって、本願発明は、引用刊行物に記載された発明及び周知技術に基いて当業者が容易に発明をすることができたものである。
　
　
５　むすび
　以上のとおり、本願発明は、引用刊行物に記載された発明及び周知技術に基いて当業者が容易に発明をすることができたものであるから、特許法第２９条第２項の規定により特許を受けることができない。
　
　よって、結論のとおり審決する。